(57)【要約】【課題】カメラ本体にアクセサリーとしてモニタを接続した場合に、モニタ電源のＯＮ／ＯＦＦを自動的に制御することにより、消費電力の低減を可能にする。【解決手段】モニタリモコン５０は、映像信号を入力するためのＲＣＡ端子５２Ａと、該ＲＣＡ端子５２Ａと外部機器の映像出力端子との接続状態を検知する接続確認用スイッチ５２Ｃと、ＲＣＡ端子５２Ａから入力する映像信号に基づいて映像を表示するＬＣＤモニタ５７とを備え、接続確認用スイッチ５２ＣによってＲＣＡ端子５２Ａの接続状態が検知されているときには、ＬＣＤモニタ５７に映像を表示させ、ＲＣＡ端子５２Ａの接続状態が検知されないときには、ＬＣＤモニタ５７の電源を切るようにしている。【選択図】      図６
2004282795.tif 000002
【特許請求の範囲】
【請求項１】
映像信号を入力するための映像入力端子と、
該映像入力端子と外部機器の映像出力端子との接続状態を検知する検知手段と、
前記映像入力端子から入力する映像信号に基づいて映像を表示する表示手段と、
前記検知手段によって前記映像入力端子の接続状態が検知されているときには、前記表示手段に映像を表示させ、前記映像入力端子の接続状態が検知されないときには、少なくとも前記表示手段の電源を切る電力制御手段と、
を備えたことを特徴とするモニタ。
【請求項２】
前記検知手段は、前記映像入力端子と前記外部機器の映像出力端子との接続の有無を検出する接続確認用スイッチである請求項１のモニタ。
【請求項３】
前記検知手段は、前記映像入力端子から入力する映像信号の有無に基づいて前記映像入力端子の接続状態を検知することを特徴とする請求項１のモニタ。
【請求項４】
ビデオカメラと接続されるコントロール信号用端子と、前記ビデオカメラを操作するための操作スイッチと、該操作スイッチの操作に対応したコントロール信号を前記コントロール信号用端子に出力するコントロール信号出力手段と、を備えたことを特徴とする請求項１、２又は３のモニタ。
【請求項５】
前記操作スイッチの操作に対応したコントロール信号を赤外リモコン信号に変換して発光する赤外発光手段と、前記コントロール信号用端子からの入力信号に基づいて前記コントロール信号出力手段及び赤外発光手段のうちのいずれか一方を動作可能にする制御手段と、を備えたことを特徴とする請求項４のモニタ。
【請求項６】
前記操作スイッチの操作に対応したコントロール信号を赤外リモコン信号に変換して発光する赤外発光手段と、前記コントロール信号用端子の接続の有無を検出する検出手段と、該検出手段の検出信号に基づいて前記コントロール信号出力手段及び赤外発光手段のうちのいずれか一方を動作可能にする制御手段と、を備えたことを特徴とする請求項５のモニタ。
【請求項７】
映像信号を外部機器に出力するための第１の映像出力端子と、カメラ電源のＯＮ／ＯＦＦ状態に対応した識別信号を出力する第１の端子とを含む第１のマルチコネクタを有するカメラ本体と、
前記第１のマルチコネクタと接続される第２のマルチコネクタであって、前記カメラ本体から映像信号及び識別信号を入力するための映像入力端子及び第２の端子を含む第２のマルチコネクタと、該第２のマルチコネクタの映像入力端子から入力する映像信号に基づいて映像を表示する表示手段と、前記第２のマルチコネクタの第２の端子から入力する識別信号に基づいてカメラ電源のＯＮ／ＯＦＦに対応してモニタ電源のＯＮ／ＯＦＦを制御する電源制御手段とを有するモニタと、
から成ることを特徴とするビデオカメラとモニタ。
【請求項８】
前記第１のマルチコネクタの第１の端子は、カメラ電源のＯＮ／ＯＦＦを示す電源識別信号を出力する電源識別出力端子である請求項７のビデオカメラとモニタ。
【請求項９】
前記第１のマルチコネクタの第１の端子は、コントロール信号を入力するとともにカメラ動作状態を示す信号を出力するコントロール信号用入出力端子であり、前記モニタは、前記カメラ本体を操作するための操作スイッチと、該操作スイッチの操作に対応したコントロール信号を前記コントロール信号用入出力端子に出力するコントロール信号出力手段と、前記コントロール信号用入出力端子から入力するカメラ動作状態を示す信号に基づいてカメラ動作状態を表示するカメラ動作状態表示手段と、を有することを特徴とする請求項７のビデオカメラとモニタ。
【請求項１０】
映像信号及び音声信号を外部機器に出力するためのＡＶ端子、アクセサリー識別用端子、及び少なくとも動作モードがカメラモードかＶＴＲモードかを示す情報を出力するコントロール信号用端子を含む第１のマルチコネクタを有するカメラ本体と、
前記第１のマルチコネクタのＡＶ端子、アクセサリー識別用端子及びコントロール信号用端子にそれぞれ接続される端子群を有する第２のマルチコネクタと、前記ＡＶ端子から入力する映像信号に基づいて映像を表示する映像表示手段と、前記ＡＶ端子から入力する音声信号に基づいて音声を発生するスピーカとを有するファインダとして使用可能なモニタと、から成り、
前記カメラ本体は、前記アクセサリー識別用端子から入力する識別情報に基づいて前記第１のマルチコネクタに前記モニタが接続されたことを検出すると、前記ＡＶ端子から映像信号及び音声信号を出力し、前記モニタは前記コントロール信号用端子から前記カメラモードを示す信号を入力すると、前記スピーカからの音声を消音するミュート手段を有することを特徴とするビデオカメラとモニタ。
【請求項１１】
前記モニタのミュート手段は、前記コントロール信号用端子から撮影確認のモードを示す信号を入力すると、前記スピーカから音声を発生させることを特徴とする請求項１０のビデオカメラとモニタ。
【発明の詳細な説明】
【技術分野】
【０００１】
本発明はモニタ、及びビデオカメラとモニタに係り、特にモニタをカメラ本体に接続してカメラ本体の機能及び操作性を向上させるようにしたモニタ、及びビデオカメラとモニタに関する。
【背景技術】
【０００２】
近年のビデオカメラは小型軽量化が進み、カメラ部とＶＴＲデッキ部とが一体になったカメラ一体型ＶＴＲが主流になっており、かかるカメラ一体型ＶＴＲは、録画機能だけでなく再生機能も備えている。
【０００３】
また、外部機器から映像信号を入出力する映像入出力端子、Ｓ映像入出力端子、外部機器から音声信号を入出力する音声入出力端子、外部マイクから音声信号を入力するためのマイク入力端子、リモート端子等を備えており、これらの端子にテレビシステムや、ステーション、外部カメラ、モニタ、モニタリモコン、マリンパック等のアクセサリーを接続することにより、カメラ本体の機能を有効に利用できるようにしている。
【発明の開示】
【発明が解決しようとする課題】
【０００４】
しかしながら、上記各種のアクセサリーを接続できるようにするためには、カメラ本体の機能が複雑になるとともに、多くの端子が必要になる。また、アクセサリーの種類に応じてカメラ本体側の動作モードを切り換えたりしなければならず、操作が複雑になる。
【０００５】
例えば、カメラ本体にモニタリモコンや上記アクセサリー等を接続した場合には、カメラ本体側の操作ボタンとアクセサリー側の操作ボタンとが重複し、誤操作されるおそれがある。また、外部映像入力端子を有し、液晶表示器等により映像を表示することができる携帯用のモニタやモニタリモコン等は、未使用時には消費電力を低減するために、電源スイッチによって頻繁にモニタ電源をＯＮ／ＯＦＦする必要があった。更に、スピーカが内蔵されているモニタをカメラに電気的に接続するとともにカメラに取り付け、このモニタを撮影状態の確認用（ファインダ）として使用する場合には、カメラのマイクとモニタのスピーカとの間で干渉してハウリングが生じるおそれがある。
【０００６】
本発明はこのような事情に鑑みてなされたもので、モニタ電源のＯＮ／ＯＦＦを自動的に制御することにより、消費電力の低減を図ることができ、またファインダとして使用する場合にハウリングが生じないようにすることができるモニタ、及びビデオカメラとモニタを提供することを目的とする。
【課題を解決するための手段】
【０００７】
前記目的を達成するために本発明に係るモニタは、映像信号を入力するための映像入力端子と、該映像入力端子と外部機器の映像出力端子との接続状態を検知する検知手段と、前記映像入力端子から入力する映像信号に基づいて映像を表示する表示手段と、前記検知手段によって前記映像入力端子の接続状態が検知されているときには、前記表示手段に映像を表示させ、前記映像入力端子の接続状態が検知されないときには、少なくとも前記表示手段の電源を切る電力制御手段と、を備えたことを特徴としている。
【０００８】
また、本発明に係るビデオカメラとモニタは、映像信号及び音声信号を外部機器に出力するためのＡＶ端子、アクセサリー識別用端子、及び少なくとも動作モードがカメラモードかＶＴＲモードかを示す情報を出力するコントロール信号用端子を含む第１のマルチコネクタを有するカメラ本体と、前記第１のマルチコネクタのＡＶ端子、アクセサリー識別用端子及びコントロール信号用端子にそれぞれ接続される端子群を有する第２のマルチコネクタと、前記ＡＶ端子から入力する映像信号に基づいて映像を表示する映像表示手段と、前記ＡＶ端子から入力する音声信号に基づいて音声を発生させるスピーカとを有するファインダとして使用可能なモニタと、から成り、前記カメラ本体は、前記アクセサリー識別用端子から入力する識別情報に基づいて前記第１のマルチコネクタに前記モニタが接続されたことを検出すると、前記ＡＶ端子から映像信号及び音声信号を出力し、前記モニタは前記コントロール信号用端子から前記カメラモードを示す信号を入力すると、前記スピーカからの音声を消音するミュート手段を有することを特徴としている。
【０００９】
本発明によれば、モニタの映像入力端子の接続状態に基づいてモニタ電源のＯＮ／ＯＦＦ制御を行い、これによりモニタの消費電力の低減を図るようにしている。
【００１０】
また、カメラ本体の第１のマルチコネクタとファインダとして使用可能なモニタの第２のマルチコネクタとが接続され、カメラ本体がモニタとの接続を検知すると、カメラ本体はＡＶ端子から映像信号及び音声信号を出力し、モニタはコントロール信号用端子からカメラモードを示す信号を入力すると、内蔵されているスピーカから音声が発生されないようにミュートするようにしている。これにより、カメラ撮影時にハウリングの発生を防止することができる。
【発明の効果】
【００１１】
本発明によれば、カメラ本体にアクセサリーとしてモニタを接続して機能を向上させる際に、モニタ側にカメラ本体の機能の一部をもたせることにより、カメラ本体の簡略化等を図ることができる利点がある。また、モニタ電源のＯＮ／ＯＦＦをカメラ本体との関係に基づいて制御するようにしたため、モニタの消費電力の低減を図ることができる。更に、スピーカを有するモニタを接続した場合、カメラ撮影時には消音制御するようにしたため、ユーザーが自らスピーカ音量を絞るなどの特別な操作を必要とせずにハウリングの発生を防止することができ、これによりモニタをファインダとしても使用することができる。
【発明を実施するための最良の形態】
【００１２】
以下添付図面に従って本発明に係るモニタ、及びビデオカメラとモニタの好ましい実施の形態について詳述する。
【００１３】
図１は本発明に係るビデオカメラとこのビデオカメラに接続されるアクセサリーを示す概略図である。同図において、１０はカメラ本体、３０はステーション、５０はモニタリモコン、９０はズームカメラ、９２はＡＶコネクタ、３００は液晶モニタである。
【００１４】
カメラ本体１０には、ステーション３０、モニタリモコン５０、ズームカメラ９０、ＡＶコネクタ９２、マリンパック（図示せず）、液晶モニタ３００等の各種のアクセサリーと接続するためのマルチコネクタ１１が配設されている。また、ステーション３０、モニタリモコン５０、ズームカメラ９０、ＡＶコネクタ９２及び液晶モニタ３００には、上記カメラ本体１０のマルチコネクタ１１と接続されるマルチコネクタ３１、５１、９１、９３及び３０１が配設されている。
【００１５】
カメラ本体１０のマルチコネクタ１１には、電源／グランド端子、音声／映像入出力端子（ＡＶ端子）、リモート・コントロール用（ＬＡＮＣ入出力）端子、及びアクセサリー識別用端子が設けられている。
【００１６】
アクセサリー識別用端子は、例えば３端子から成り、各端子のレベル（Ｈレベル，Ｌレベル）の組み合わせからなるアクセサリー識別信号（Ｓ０，Ｓ１，Ｓ２）を入力する。カメラ本体１０はこのアクセサリー識別用端子から入力するアクセサリー識別信号に基づいてマルチコネクタ１１に接続されているアクセサリーの種類を認識する。
【００１７】
即ち、アクセサリー識別信号（Ｓ０，Ｓ１，Ｓ２）は、アクセサリーに固有な信号として、例えば、次表に示すようにアクセサリーの種類に対応している。
【００１８】
【表１】
2004282795.tif 000003
【００１９】
上記表１に示すように、アクセサリーなしの場合とＡＶコネクタが接続された場合のように、カメラ本体の機能を変えないときは、アクセサリー識別信号（Ｓ０，Ｓ１，Ｓ２）の全てが“Ｈ”となり、他のアクセサリーが接続されたときは上記のようにアクセサリー識別信号（Ｓ０，Ｓ１，Ｓ２）のうちの少なくとも１つが“Ｌ”となる。即ち、ステーション、モニタリモコン、ズームカメラ、マリンパック、液晶モニタの各マルチコネクタは、上表に示すようなアクセサリー識別信号がカメラ本体側に入力されるように構成されている。
【００２０】
尚、表１において、“Auto”はカメラ本体１０が動作モードに応じてＡＶ入出力を自動的に制御することを意味し、“本体無効”はカメラ本体１０側の操作スイッチの操作及び赤外リモコン受信器の受信を無効にすることを意味する。
【００２１】
次に、上記カメラ本体１０について説明する。図２は上記カメラ本体１０の概要を示すブロック図である。
【００２２】
同図において、システム・コントロールマイコン１２は、マルチコネクタ１１、操作スイッチ１３又はリモコン受光部１４からコントロール信号が入力される。システム・コントロールマイコン１２は、入力するコントロール信号に基づいてカメラ本体の機能や仕様を制御するもので、カメラ・コントロールマイコン１５及びメカ・コントロールマイコン１６との間で信号の送受信を行うとともに、ＶＴＲ系信号処理部１７にコントロール信号を出力する。カメラ・コントロールマイコン１５は、撮影レンズ１８及びカメラ系信号処理部２０の動作等を制御し、メカ・コントロールマイコン１６はＶＴＲメカ・ユニット２１の動作を制御するとともにドラムモータ、ローディング・モータ、キャプスタン・モータをサーボ制御する。
【００２３】
さて、マルチコネクタ１１にアクセサリーなしの場合又はＡＶコネクタが接続された場合には、カメラ本体の機能は変わらない。
【００２４】
従って、操作スイッチ１３等によってカメラモードが選択され、撮影スタート／ストップボタンによって撮影が開始されると、被写体像は撮影レンズ１８を介してＣＣＤ１９に結像され、ここで光電変換されてカメラ系信号処理部２０に出力される。カメラ系信号処理部２０は、サンプルホールド回路、ホワイトバランス回路、γ補正回路、エンコーダ回路等を含み、所定フォーマットの映像信号をＶＴＲ系信号処理部１７に出力する。ＶＴＲ系信号処理部１７はカメラ系信号処理部２０から入力する映像信号を磁気記録に適した記録信号に変換し、この記録信号は記録アンプを介してメカ・ユニット２１のヘッドに出力され、ビデオテープに磁気記録される。
【００２５】
一方、ＶＴＲモードが選択され、再生ボタンが操作されると、ＶＴＲメカ・ユニット２１から記録信号が読み出され、ＶＴＲ系信号処理部１７によって映像信号が復調される。この映像信号はマルチコネクタ１１を介してテレビシステム等の外部機器に出力され、再生される。尚、上記再生処理に限らず、録画、早送り、巻戻しボタン等のボタン操作が行われた場合には、それに対応した処理が行われる。また、音声信号も映像信号と同様に記録／再生が行われる。
【００２６】
次に、カメラ本体１０のマルチコネクタ１１にステーション３０のマルチコネクタ３１を接続した場合について説明する。
【００２７】
このステーション３０は、カメラ本体１０と図示しないテレビシステムやＶＴＲデッキ等との接続を行うもので、図３に示すようにマルチコネクタ３１、ＡＶ端子３２、操作スイッチ３３、リモコン受光部３４、電源コネクタ３５、システム・コントロールマイコン３６等から構成されている。
【００２８】
ステーション３０のマルチコネクタ３１は、カメラ本体１０が搭載されるとカメラ本体１０のマルチコネクタ１１と接続されるように構成されている。また、ＡＶ端子３２は、映像入力端子、映像出力端子、Ｓ映像入力端子、Ｓ映像出力端子、ステレオ音声入力端子、ステレオ音声出力端子を含み、テレビシステム等と接続され、電源コネクタ３５はＡＣアダプタ４１（図４参照）と接続される。
【００２９】
このステーション３０のマルチコネクタ３１には、ＡＶ端子（映像入出力端子、Ｓ映像入出力端子、ステレオ音声入出力端子）、電源出力端子(UNREG OUT,Charge IN) 、カメラ本体接続検出端子（UNREG OUT,UNREG IN) 、リモート・コントロール用端子（LANC Data)、カメラ電源ＯＮ／ＯＦＦ識別端子(LANC DC) 、カセット蓋開閉検出用端子(C.LOCK SW) 、及びアクセサリー識別用端子(ADP-SEL) が設けられている。
【００３０】
ここで、カメラ本体接続検出端子（UNREG OUT,UNREG IN) は、マルチコネクタ３１がカメラ本体１０のマルチコネクタ１１と接続されると、カメラ本体１０を介してUNREG INから所定の信号（UNREG ）を入力する。また、リモート・コントロール用端子（ＬＡＮＣ入出力端子）は、垂直同期信号に同期して垂直同期信号毎にリモート・コントロール用の８バイトのLANC信号の双方向シリアルバス通信を行うための端子であり、８バイト中、最初の２バイトはアクセサリー側（ステーション側）からカメラ本体へのリモコンコマンドを示し、最後の４バイトはカメラ本体側からステーション側に送信されるテープのカウント値や動作モード等の情報を示す。カメラ電源ＯＮ／ＯＦＦ識別端子(LANC DC) は、カメラ電源のＯＮ／ＯＦＦに応じて次表に示す信号を入力する。
【００３１】
【表２】
2004282795.tif 000004
【００３２】
カセット蓋開閉検出用端子(C.LOCK SW) は、カメラ本体のカセット蓋の開閉状態を検出するスイッチからの信号を入力する端子であり、アクセサリー識別用端子(ADP-SEL) は、表１に示したように（Ｈ，Ｌ，Ｈ）となる３ビットのアクセサリー識別信号（Ｓ０，Ｓ１，Ｓ２）、即ち、Ｓ１のみＬレベルとなるように接地されている端子である。
【００３３】
カメラ本体１０は、アクセサリー識別用端子(ADP-SEL) を介して入力するアクセサリー識別信号に基づいてマルチコネクタ１０にステーション３０が接続されたことを認識すると、ＶＴＲモードのみ動作可能となり、カメラ本体側の操作スイッチ及び赤外リモコン受信器を動作不能にし、ステーション側の操作スイッチ３３又はリモコン受光部３４からのコントロール信号によって制御される。このとき、カメラ本体側のスイッチにない機能もステーション３０から制御できるようにしてもよい。この場合には、カメラ本体１０には機能のみを設け、小型化や操作性のためにスイッチ等をカメラ本体から省略することができる。
【００３４】
ＶＴＲモード動作時、ステーション３０のＡＶ端子３２（ＡＶ入力端子・ＡＶ出力端子）とカメラ本体１０からのＡＶ入出力の方向は、ステーション３０のシステム・コントロールマイコン３６が動作に応じて自動的に切り換える。再生系の動作時には、カメラ本体１０のＡＶ入出力端子からステーション３０のＡＶ出力端子へ信号が流れ、それ以外の動作時はステーション３０のＡＶ入力端子からステーションのＡＶ出力端子と、カメラ本体１０のＡＶ入出力端子側へ信号を切り換える。
【００３５】
図４はＡＣアダプタ４１の一実施例を示すブロック図である。同図に示すように、ＡＣアダプタ４１のコネクタ４２は、ステーション３０の電源コネクタ３５と接続される。ＡＣアダプタ４１はコネクタ４２Ａ、３５Ａを介してステーション３０に電源が供給するとともにコネクタ４２Ｃ、３５Ｃを介して充電状態を示す信号を出力し、一方、ステーション３０はコネクタ３５Ｂ、４２Ｂを介してチャージモードかビデオモードかを示すモード信号をＡＣアダプタ４１に出力する。尚、ステーション３０は、カメラ電源ＯＦＦ時には、モード信号を“Ｈ”にしてチャージモードとし、カメラ電源ＯＮ時には、モード信号を“Ｌ”にしてビデオモードにする。
【００３６】
ＡＣアダプタ４１のマイコン４３は、チャージモードを示すモード信号を入力し、且つバッテリー検出スイッチ４５によってバッテリー４４の装着状態が検出されると、充電回路４６を動作させてバッテリー４４の急速充電を行わせるとともに、スイッチＳＷ３を１５０ｍＡの定電流回路４７側（接点Ａ）に切り換え、ステーション３０に大きな電流が流れないようにする。また、バッテリー４４の充電中を示す信号をコネクタ４２Ｃ、３５Ｃを介してステーション３０に出力する。尚、ステーション３０内のレギュレータ３９は、ＡＣアダプタ４１から入力する電源から基準電圧を生成し、これをシステム・コントロールマイコン３６等に出力するが、上記定電流回路４７を経由した電流が制御された電源でもシステム・コントロールマイコン３６等の動作は保証される。
【００３７】
一方、バッテリー４４の充電を行わない場合には、マイコン４３はスイッチＳＷ３を接点Ｂに切り換え、ＡＣアダプタ４１からの電源を直接ステーション３０に出力する。そして、ステーション３０は、ＡＣアダプタ４１からの電源を入力する充電回路４０からの充電電流によってカメラ本体１０のバッテリーＢＡＴ（図５参照）を充電させる。その充電の制御は、スイッチＳＷ１，ＳＷ２をシステム・コントロールマイコン３６が制御することによって行われる。尚、図５に示すようにカメラ本体１０のマルチコネクタ１１とステーション３０のマルチコネクタ３１とが接続されると、スイッチＳＷがＯＦＦされてバッテリーＢＡＴが切り離され、ＡＣアダプタ４１からの電源がカメラ本体１０に供給できるようになっている。
【００３８】
これに対し、ステーション３０はカメラ電源ＯＮ時にはビデオモードを示すモード信号をＡＣアダプタ４１に出力し、ＡＣアダプタ４１での充電を禁止する。また、カメラ本体１０のバッテリーの充電も禁止するようにスイッチＳＷ１、ＳＷ２を制御する。
【００３９】
即ち、ステーション３０はカメラ本体１０の動作を優先させ、続いてＡＣアダプタ４１での急速充電、最後にカメラ本体１０のバッテリーの充電を行うように優先順位をもって制御する。尚、ＡＣアダプタ４１の電流容量が十分あれば、カメラ本体１０が動作中でもバッテリーＢＡＴの充電は可能である。
【００４０】
次に、ステーション３０によってカメラ電源を制御する場合について説明する。
【００４１】
ステーション３０は、カメラ電源ＯＮ／ＯＦＦ識別端子から表１に示したように電源ＯＮ／ＯＦＦ情報(LANC DC) を入力しており（図５参照）、これによりカメラ本体１０の電源がＯＮしているかＯＦＦしているかを識別する。
【００４２】
ここで、カメラ電源をＯＦＦからＯＮにする場合には、先ずＡＣアダプタ４１に対してビデオモードにするモード信号を出力する。続いて、ＬＡＮＣ入出力端子から電源ＯＮを示すコントロール信号（一定時間“Ｌ”レベルとなる信号）（LANC Data)を出力する。カメラ本体１０はこのコントロール信号を入力することにより電源ＯＮとなる。尚、カメラ電源をＯＮする前にビデオモードにするのは、前述したようにＡＣアダプタ４１から所要の電源の供給を可能にするためである。
【００４３】
また、カメラ電源をＯＮからＯＦＦにする場合には、ＬＡＮＣ入出力端子から電源ＯＦＦを示すコントロール信号（表１に示すように“Ｈ”レベルになっているだけの信号）を出力し、カメラ本体１０はこの信号によって電源ＯＦＦとなる。
【００４４】
次に、カメラ電源ＯＦＦで、カメラ本体１０のカセット蓋を閉じる場合について説明する。
【００４５】
通常、カメラ本体１０はカセット蓋が閉じられ、カセット蓋のスイッチがＯＦＦからＯＮになると、カセットのローディングを行うが、カメラ本体１０がステーション３０と接続されているときには、前述したようにカメラ電源のＯＮ／ＯＦＦを含むカメラ本体１０の制御の主導権はステーション３０に移る。従って、カメラ電源ＯＦＦ時にカセット蓋を閉めたときの制御も、ステーション３０によって行われる。
【００４６】
即ち、ステーション３０は、カメラ電源ＯＦＦ時に、カセット蓋開閉検出用端子からカセット蓋が閉じられたことを示す信号を入力すると、カメラ電源をＯＮにし、その後カセットのローディングを行わせる。尚、ローディングが終了すると、再びカメラ電源をＯＦＦにして元の状態に戻す。
【００４７】
更に、ステーション３０には、液晶表示器（ＬＣＤ）３７、発光ダイオード（ＬＥＤ）３８が設けられており、システム・コントロールマイコン３６は、カメラ本体側からＬＡＮＣ入出力端子を介して入力するコントロール信号によりカウント値や動作モード等をＬＣＤ３７、ＬＥＤ３８に表示させる。更にまた、カメラ本体１０にモードメモリに設け、ステーション３０のシステム・コントロールマイコン３６の指令により前記モードメモリに所要の動作モードを記憶させ、カメラ本体１０はそのモードメモリに記憶された動作モードの制御を行うように構成してもよい。
【００４８】
次に、カメラ本体１０のマルチコネクタ１１にモニタリモコン５０のマルチコネクタ５１を接続した場合について説明する。
【００４９】
このモニタリモコン５０は、図６に示すように映像入力用ＲＣＡ端子（接続確認用スイッチ５２Ｃ付）５２Ａと、リモート・コントロール用端子（ＬＡＮＣ入出力端子）５２Ｂとを有し、これらの端子５２Ａ，５２Ｂには、図７に示すようにカメラ本体１０とのワンタッチ接続が可能なマルチコネクタ５１付きの接続ケーブルのピンジャック５１Ａ，５１Ｂが接続される。尚、マルチコネクタ５１には、モニタリモコン５０を示すアクセサリー識別用端子が設けられている。また、前記端子５２Ａ，５２Ｂの代わりに、マルチコネクタ５１を直接設けるようにしてもよい。
【００５０】
さて、カメラ本体１０はアクセサリー識別信号に基づいてマルチコネクタ１０にモニタリモコン５０が接続されたことを認識すると、カメラ本体側の操作スイッチ及び赤外リモコン受信器を動作不能にし、モニタリモコン５０からのコントロール信号によって制御される。尚、マルチコネクタ１０のＡＶ端子に入出力する音声信号は、カメラ本体１０の動作モードに応じてカメラ本体側で自動的に制御されるが、映像信号はカメラ／ＶＴＲモードにかかわらず、常時ライン出力される。
【００５１】
図６において、バッテリー６０の電源はレギュレータ６１及びＤＣ−ＤＣコンバータ６２に加えられる。レギュレータ６１は入力する電源から基準電圧を生成し、これをマイコン５４等に出力する。ＤＣ−ＤＣコンバータ６２はマイコン５４からの電源コントロール信号によってその動作が制御されるもので、動作状態にあるときには、バッテリー電源から所要の電圧を生成し、これを映像信号処理部５６の一部の回路、ＬＣＤモニタ５７及びバックライト６３に出力する。
【００５２】
マイコン５４には、カメラ本体１０を操作するためのための操作スイッチ５３（モニタＯＮ／ＯＦＦスイッチ５３Ａを含む）からの信号、接続確認用スイッチ５２Ｃからのピンジャックの有無を示す信号、同期分離回路５８によって映像信号から分離される同期信号、及びＬＡＮＣ入出力端子５２ＢからのLANC信号等が入力できるようになっている。
【００５３】
このモニタリモコン５０には、メイン電源スイッチは設けられていず、後述するようにＲＣＡ端子５２Ａの接続の有無、カメラ本体１０からの映像信号の入力の有無等に基づいて自動的に電源のＯＮ／ＯＦＦが制御される。
【００５４】
次に、モニタリモコン５０の電源のＯＮ／ＯＦＦ制御について、図８のフローチャートを参照しながら説明する。
【００５５】
同図に示すように、マイコン５４は接続確認用スイッチ５２Ｃからの信号に基づいてＲＣＡ端子５２Ａに接続されるピンジャックの有無を判別する（ステップ１００）。ピンジャックの接続がない場合には、ＤＣ−ＤＣコンバータ６２を動作不能にし、ＬＣＤモニタ５７等への電源を切る。以下、この処理をモニタ消灯（電源ＯＦＦ）という（ステップ１０２）。
【００５６】
一方、ピンジャックの未接続状態から接続状態への変化が検出されると、ＤＣ−ＤＣコンバータ６２を動作可能にし、ＤＣ−ＤＣコンバータ６２からＬＣＤモニタ５７等に電源を供給させ、ＬＣＤモニタ５７に映像を表示させる。以下、この処理をモニタ点灯（電源ＯＮ）という（ステップ１０４）。
【００５７】
その後、ピンジャックの接続状態が検出されている場合には、モニタＯＮ／ＯＦＦスイッチ５３Ａが押されたか否を判別し（ステップ１０６）、押されていない場合には現在の状態を保持する。一方、モニタＯＮ／ＯＦＦスイッチ５３Ａが押されると、現在モニタが点灯中か否かを判別し（ステップ１０８）、モニタ点灯中の場合にはステップ１０２に進み、モニタを消灯させ、モニタ消灯中の場合にはステップ１０４に進み、モニタを点灯させる。
【００５８】
尚、上記実施例は、ＲＣＡ端子５２Ａの接続状態に応じて自動的にモニタ電源のＯＮ／ＯＦＦを制御するようにしたが、これに限らず、ＲＣＡ端子５２Ａからの映像信号の入力の有無、即ち、同期分離回路５８からの同期信号の入力の有無に基づいて自動的にモニタ電源のＯＮ／ＯＦＦを制御するようにしてもよい。また、前述したステーション３０のマルチコネクタ３１と同様なマルチコネクタをモニタリモコン５０に設けるようにすれば、モニタリモコン５０はマルチコネクタのカメラ電源ＯＮ／ＯＦＦ識別端子から表１に示したようにカメラ本体側の電源ＯＮ／ＯＦＦ情報(LANC DC) を入力することができるため、この電源ＯＮ／ＯＦＦ情報に基づいてカメラ電源のＯＮ／ＯＦＦに同期してモニタ電源のＯＮ／ＯＦＦを制御するようにしてもよい。更に、本実施例では、モニタリモコンについて説明したが、リモコン機能をもたないモニタの電源ＯＮ／ＯＦＦの制御にも適用できる。
【００５９】
また、このモニタリモコン５０は、ＬＡＮＣ入出力端子５２Ｂや赤外発光部５５からリモコン信号を送信するリモコン動作モードと、マイコン５４のクロック信号の発振を停止して消費電力を低減する低消費電力モード（スタンバイモード）とを有している。
【００６０】
次に、上記リモコン動作モードと低消費電力モードとの切換制御について、図９を参照しながら説明する。
【００６１】
モニタリモコン５０は、そのＬＡＮＣ入出力端子５２Ｂがカメラ本体側にＬＡＮＣ入出力端子と接続されると、カメラ本体１０からLANC信号を入力することができる。モニタリモコン５０のマイコン５４は、図９に示すようにＬＡＮＣ入出力端子５２Ｂからの入力信号の有無を判別する（ステップ２００）。入力信号がない場合には、クロック信号の発振を停止して消費電力の少ない低消費電力モードとなり（ステップ２０２）、続いて操作スイッチ５３が操作されたか否かを判別する（ステップ２０４）。そして、操作スイッチ５３が操作されない場合には、ステップ２００に戻る。
【００６２】
一方、ステップ２０４で操作スイッチ５３の操作があったことが判別されると、マイコン５４は先ずマイコンのハードで自動的にクロック信号の発振を開始し、リモコン信号の送信が可能なリモコン動作モードとなり（ステップ２０６）、その操作されたスイッチの種類に対応したリモコン信号を赤外リモコン発光部５５から送信させ（ステップ２０８）、その後、スイッチ操作が終了すると、再び低消費電力モードとなる。
る。また、スイッチ操作されていないときは、マイコン５４はスタンバイ・モードとなり、低消費電力状態になる。
【００６３】
また、マイコン５４は、ＬＡＮＣ入出力端子５２Ｂから信号が加えられていることを検知すると（ステップ２００）、リモコン動作モードとなり（ステップ２１０）、その入力信号を受信して入力信号に対応した処理を実行する（ステップ２１２）。即ち、ＬＡＮＣ入出力端子５２Ｂからの入力信号はカメラ本体１０の動作モードやテープカウント値等を示すため、マイコン５４は、その入力信号に基づいてカウント値，動作モード等を示すキャラクタ信号をデータ表示部５９から映像信号処理部５６に出力し、これによりカウンタ値，動作モード等をＬＣＤモニタ５７の画面にスーパー・インポーズする。
【００６４】
続いて、操作スイッチ５３が操作されたか否かを判別し（ステップ２１４）、操作スイッチ５３が操作されない場合には、ステップ２００に戻り、操作スイッチ５３の操作された場合には、その操作されたスイッチの種類に対応したリモコン信号をＬＡＮＣ入出力端子５２Ｂから出力する（ステップ２１６）。
【００６５】
尚、上記実施例では、ＬＡＮＣ入出力端子５２Ｂからの入力信号の有無によってワイヤード・リモコンと赤外リモコンとの切り替えを行うようにしたが、ＬＡＮＣ入出力端子５２Ｂの代わりに、例えばワイヤードでリモコン信号のみ出力可能なリモコン端子が設けられている場合には、そのリモコン端子の接続の有無に基づいてワイヤード・リモコンと赤外リモコンとの切り替えを行うようにしてもよい。
【００６６】
次に、カメラ本体１０のマルチコネクタ１１にズームカメラ９０のマルチコネクタ９１を接続した場合について説明する。
【００６７】
このズームカメラ９０は高倍率の撮影が可能なもので、ＶＴＲ機能は設けられていず、ズームカメラ９０のマルチコネクタ９１には、映像信号及び音声信号を外部機器に出力するためのＡＶ端子、アクセサリー識別用端子及びコントロール信号用端子が設けられている。そして、カメラ本体１０はアクセサリー識別信号に基づいてマルチコネクタ１０にズームカメラ９０が接続されたことを認識すると、マルチコネクタ１１のＡＶ端子から映像信号及び音声信号を入力するとともに、マルチコネクタ１１のコントロール信号用端子からコントロール信号を入力する。即ち、カメラ本体１０はズームカメラ９０が接続されると、ＶＴＲデッキとして機能し、ズームカメラ９０の操作スイッチからのコントロール信号によって制御される。
【００６８】
また、カメラ本体側の操作スイッチ及び赤外リモコン受光器は動作不能にされ、ズームカメラ９０の操作スイッチが優先される。尚、カメラ本体１０はＶＴＲモードであるが、ズームカメラ９０の接続時にはエディット・サーチできるように構成されている。本来、エディット・サーチはカメラモード時のみ使用でき、通常のＶＴＲモード（ズームカメラが接続されていないときのＶＴＲモード）では、エディット・サーチはできない。また、ズームカメラ９０の電源は、カメラ本体１０のマルチコネクタ１１からズームカメラ９０のマルチコネクタ９１を介して供給される。
【００６９】
次に、カメラ本体１０にマリンパックを接続した場合について説明する。
【００７０】
マリンパックは水密構造のもので、カメラ本体を収納することにより水中撮影を可能にする。図１０に示すように、このマリンパック７０には、カメラ本体１０の内蔵マイク２２とは別の外部マイク７２が設けられている。また、マリンパック７０のマルチコネクタ７１には、外部マイク７２からの音声信号を出力するための音声出力端子、アクセサリー識別用端子及びコントロール信号用端子が設けられている。そして、カメラ本体１０は、表１に示したようにアクセサリー識別信号に基づいてマルチコネクタ１１にマリンパック７０のマルチコネクタ７１が接続されたことを認識すると、カメラモードのみ動作可能になり、システム・コントロールマイコン１２は内部マイク２２の音声信号からマルチコネクタ１１を介して入力する音声信号に切り換える。尚、映像信号はカメラ本体１０の信号を使用する。
【００７１】
また、カメラ本体側の操作スイッチ及び赤外リモコン受光器は動作不能にされ、カメラ本体１０は、マリンパック７０の操作スイッチ７３の操作に応じてマイコン７５から出力されるコントロール信号によって、電源のＯＮ／ＯＦＦ、撮影スタート／ストップ、ズーム（テレ／ワイド）が制御される。尚、マリンパック７０はカメラ本体１０のマルチコネクタ１１を介して電源が供給されるようになっている。
【００７２】
図１１はマリンパックの他の実施例を示す概略図である。このマリンパック８０は、低コスト化のためにマイコン等が設けられていず、図示しないマリンパック８０側の操作スイッチからメカ的にカメラ本体１０側の操作スイッチがＯＮ／ＯＦＦできるように構成されている。マイクアンプもカメラ本体側の内蔵のアンプ２３を使用し、マイクのみ外部マイク８２を使用する。但し、システム・コントロールマイコン１２は、外部マイク８２か内部マイク２２かに応じてアンプ２３のゲインを制御するようにしている。
【００７３】
次に、カメラ本体１０のマルチコネクタ１１に液晶モニタ３００のマルチコネクタ３０１を接続した場合について説明する。
【００７４】
図１２に示すように、液晶モニタ３００は、主としてマルチコネクタ３０１、電源ブロック３０２、アクセサリー判別端子制御ブロック３０６、ビデオブロック３０８、液晶表示部３１０、オーディオブロック３１２及びスピーカ３１４から構成されている。
【００７５】
この液晶モニタ３００は、マルチコネクタ３０１を介してカメラ本体１０のマルチコネクタ１１から電源、映像信号、音声信号等を入力することができ、また、カメラ本体１０に取り付けることによってファインダとして使用することもできるようになっている。電源ブロック３０２は液晶モニタ３００の各回路に電源を供給するもので、カメラ本体１０の電源ブロック２４から電源が供給されている。尚、３０４は液晶モニタ３００の電源スイッチである。
【００７６】
アクセサリー判別端子制御ブロック３０６は、液晶モニタ３００を示すアクセサリー識別信号（Ｌ，Ｌ，Ｈ）をアクセサリー識別用端子(ADP-SEL0,1,2)に出力する。ビデオブロック３０８は、カメラ本体１０側のビデオブロック２６から加えられる輝度信号Ｙ及びクロマ信号Ｃに基づいて液晶表示部３１０を駆動制御し、液晶表示部３１０に映像を表示させ、また、オーディオブロック３１２は、カメラ本体１０側のミュート回路２８を介して加えられる音声信号Ｒ，Ｌに基づいてスピーカ３１４を駆動して音声を発生させる。
【００７７】
一方、カメラ本体１０のオーディオブロック２７は、ステレオマイクから入力する音声信号Ｒ，Ｌをシステム・コントロールマイコン１２から加えられる信号に基づいてミュート等の信号処理をして記録系（図示せず）に出力するとともに、音声信号Ｒ，Ｌをミュート回路２８に出力し、また、ミュート回路２８は、システム・コントロールマイコン１２から加えられる信号に基づいてオーディオブロック２７から入力する音声信号Ｒ，Ｌをミュートすることができるようになっている。
【００７８】
次に、カメラ本体１０による液晶モニタ３００の音声制御について、図１３に示すフローチャートを参照しながら説明する。
【００７９】
同図に示すように、カメラ本体１０のシステム・コントロールマイコン１２は、アクセサリー識別用端子(ADP-SEL0,1,2)を介して入力するアクセサリー識別信号に基づいてマルチコネクタ１１に液晶モニタ３００が接続されたか否かを判別する（ステップ３２０）。液晶モニタ３００が接続されていない場合には、ミュート回路２８で音声信号Ｒ，Ｌをミュートせずに出力させ（ステップ３２８）、液晶モニタ３００が接続されている場合には、ステップ３２２に進む。
【００８０】
ステップ３２２では、カメラ本体の動作モードが撮影を行うカメラモードか否かを判別する（ステップ３２２）。そして、カメラモードでない場合（ＶＴＲモードの場合）には、ミュート回路２８で音声信号Ｒ，Ｌをミュートせずに出力させ（ステップ３２８）、カメラモードの場合には、ステップ３２４に進む。
【００８１】
ステップ３２４では、更に撮影確認のモード（エディット・サーチモード）か否かを判別する（ステップ３２４）。そして、エディット・サーチモードの場合には、ミュート回路２８で音声信号Ｒ，Ｌをミュートせずに出力させ（ステップ３２８）、エディット・サーチモードでない場合には、ミュート回路２８で音声信号Ｒ，Ｌをミュートさせる（ステップ３２６）。
【００８２】
即ち、上記構成によれば、カメラ本体１０に液晶モニタ３００が接続され、液晶モニタ３００を例えばファインダとして使用する場合（即ち、カメラ本体１０がカメラモードで、且つエディット・サーチモードでない場合）には、液晶モニタ３００に音声信号が出力されないように制御し、これにより液晶モニタ３００のスピーカ３１４の音声を消音し、カメラ撮影時におけるハウリングの発生を防止するようにしている。
【００８３】
図１４はカメラ本体及び液晶モニタの他の実施例を示すブロック図である。尚、図１２と共通する部分には同符号を付し、その詳細な説明は省略する。
【００８４】
図１４に示すように、カメラ本体１０は通常の構成となっており、外部に出力される音声信号用のミュート回路は設けられていず、液晶モニタ３５０側にマイコン３５２によって制御されるミュート回路３５４が設けられている。
【００８５】
液晶モニタ３５０側のマイコン３５２は、カメラ本体１０側のＬＡＮＣドライバ２５及びＬＡＮＣ入出力端子を介してカメラの動作モード等を示す信号を入力できるようになっている。また、マイコン３５２は、電源スイッチ３０４がＯＮされたときのみ、電源ブロック３０２を動作可能にするとともに、アクセサリー判別端子制御ブロック３５６が液晶モニタを示すアクセサリー識別信号を出力する制御する。尚、電源スイッチ３０４がＯＦＦされると、アクセサリー判別端子制御ブロック３５６は、「アクセサリーなし」と同様なアクセサリー識別信号を出力し、これによりカメラ本体１０は液晶モニタ３５０が接続されていても「アクセサリーなし」の場合の省電力モードで動作することができる。また、スイッチパネル３５８での操作によって、マイコン３５２は液晶表示部３１０における映像の明るさや色合い、スピーカ３１４からの音量等を制御することができる。
【００８６】
さて、マイコン３５２は、前述したようにＬＡＮＣ入出力端子を介してカメラの動作モード等を示す信号を入力できるようになっており、カメラの動作モードに応じてミュート回路３５４を制御する。即ち、図１５のフローチャートで示すように、ＬＡＮＣ入出力端子を介して入力する信号に基づいてカメラ本体１０がカメラモードであり、且つ撮影確認のモードとなる場合（ステップ３２２、３２４）には、スピーカ３１４に音声信号が出力されないようにミュート回路３１２を制御し（ステップ３２６）、それ以外の場合にはスピーカ３１４に音声信号が出力されるようにミュート回路３１２を制御する（ステップ３２８）。
【図面の簡単な説明】
【００８７】
【図１】図１は本発明に係るビデオカメラとこのビデオカメラに接続されるアクセサリーを示す概略図である。
【図２】図２は図１に示したビデオカメラ本体の一実施例を示すブロック図である。
【図３】図３は図１に示したステーションの一実施例を示すブロック図である。
【図４】図４は図３に示したステーションに接続されるＡＣアダプタの一実施例を示すブロック図である。
【図５】図５は図３に示したステーションからカメラ本体への電源供給の概要を示すブロック図である。
【図６】図６は図１に示したモニタリモコンの一実施例を示すブロック図である。
【図７】図７は図６に示したモニタリモコンに適用される接続ケーブルを示す図である。
【図８】図８は図６に示したモニタリモコンにおける電源ＯＮ／ＯＦＦの制御を示すフローチャートである。
【図９】図９は図６に示したモニタリモコンにおけるワイヤード・リモコンと赤外リモコンとの切換制御を示すフローチャートである。
【図１０】図１０は図１に示したカメラ本体に接続されるマリンパックの一実施例を示すブロック図である。
【図１１】図１１はマリンパックの他の実施例を示すブロック図である。
【図１２】図１２はカメラ本体とこのカメラ本体に接続される液晶モニタの一実施例を示すブロック図である。
【図１３】図１３は図１２のカメラ本体側における音声信号のミュート制御を説明するために用いたフローチャートである。
【図１４】図１４はカメラ本体とこのカメラ本体に接続される液晶モニタの他の実施例を示すブロック図である。
【図１５】図１５は図１４の液晶モニタ側における音声信号のミュート制御を説明するために用いたフローチャートである。
【符号の説明】
【００８８】
１０…カメラ本体、１１、３１、５１、７１、８１、９１、９３、３０１…マルチコネクタ、１２、３６…システム・コントロールマイコン、１３、３３、５３、７３…操作スイッチ、１４、３４…リモコン受光部、２８、３５４…ミュート回路、３０…ステーション、３２…ＡＶ端子、３５…電源コネクタ、３７…ＬＣＤ、３８…ＬＥＤ、４０、４６…充電回路、４１…ＡＣアダプタ、４３、５４、７５、３５２…マイコン、５０…モニタリモコン、５２Ｃ…接続確認用スイッチ、７０、８０…マリンパック、７２、８２…外部マイク、９０…ズームカメラ、３００、３５０…液晶モニタ
【図１】
2004282795.tif 000005
【図２】
2004282795.tif 000006
【図３】
2004282795.tif 000007
【図４】
2004282795.tif 000008
【図５】
2004282795.tif 000009
【図６】
2004282795.tif 000010
【図７】
2004282795.tif 000011
【図８】
2004282795.tif 000012
【図９】
2004282795.tif 000013
【図１０】
2004282795.tif 000014
【図１１】
2004282795.tif 000015
【図１２】
2004282795.tif 000016
【図１３】
2004282795.tif 000017
【図１４】
2004282795.tif 000018
【図１５】
2004282795.tif 000019